(57)【要約】      （修正有）【課題】外観を軽い印象としつつ、安全性を担保することが可能なチェーンカバーを提供する。【解決手段】自転車のチェーンを覆うチェーンカバー１であって、カバー本体Ａと、保護板Ｂと、を備え、カバー本体Ａは、チェーンと対向して設けられるカバー本体主部Ａ１を有し、カバー本体主部Ａ１は、貫通孔である窓部Ａ１１を有し、保護板Ｂは、透明又は半透明に構成され、窓部Ａ１１を全面又は部分的に覆って設けられている。【選択図】図１
0003231794.tif 000002
【実用新案登録請求の範囲】
【請求項１】
自転車のチェーンを覆うチェーンカバーであって、
カバー本体と、保護板と、を備え、
前記カバー本体は、前記チェーンと対向して設けられるカバー本体主部を有し、
前記カバー本体主部は、貫通孔である窓部を有し、
前記保護板は、透明又は半透明に構成されているチェーンカバー。
【請求項２】
前記保護板は、前記窓部を閉塞して設けられる、請求項１に記載のチェーンカバー。
【請求項３】
前記保護板は、前記カバー本体主部の裏面側に取付けられている、請求項１又は２に記載のチェーンカバー。
【請求項４】
前記窓部の外形状は、前記カバー本体主部の外形状に沿って形成されている、請求項１〜３の何れかに記載のチェーンカバー。
【請求項５】
前記カバー本体主部は、その表面側に装飾部を有し、
前記装飾部は、前記窓部の周縁に沿って設けられている、請求項１〜４の何れかに記載のチェーンカバー。
【請求項６】
前記カバー本体主部は、前記窓部の周縁に配置された突起部を有し、
前記保護板は、前記突起部が貫入する貫入孔を有している、請求項１〜５の何れかに記載のチェーンカバー。
【請求項７】
前記保護板は、アクリル素材により形成されている、請求項１〜６の何れかに記載のチェーンカバー。
【考案の詳細な説明】
【技術分野】
【０００１】
本考案は、自転車に取付けられるチェーンカバーに係るものである
【背景技術】
【０００２】
従来から、特に軽快車や子供用の自転車には、チェーンを外部から保護すること等を目的として、チェーンを覆うチェーンカバーが設けられていることが通常である。
【０００３】
このようなチェーンカバーに関する発明として、例えば、特許文献１には、組立時或いはチェーン外れ修復時におけるチェーン掛け操作の容易化、作業性の向上を図ったチェーンカバーに関する発明が記載されている。
【先行技術文献】
【特許文献】
【０００４】
【特許文献１】特開２００１−１９１９７２号公報
【考案の概要】
【考案が解決しようとする課題】
【０００５】
ところで、このようなチェーンカバーは、通常、軽量化等のため、チェーンステーの延びる方向に沿って長孔窓部が設けられていることが多い。
しかし、この場合、衣服等が不意に長孔窓部を通ってチェーンに巻き込まれる、子供が長孔に自身の指を挿入することで怪我をする等、事故に繋がる恐れがある。
【０００６】
また、上記のような事故を防止するために、窓部を設けない構成とすると、チェーンカバー自体の重量が増すばかりか、見た目にも重たい印象を与え、特に子供用の自転車には不適である、という問題があった。
【０００７】
本考案は上記のような実状に鑑みてなされたものであり、外観を軽い印象としつつ、安全性を担保することが可能なチェーンカバーを提供することを課題とする。
【課題を解決するための手段】
【０００８】
上記課題を解決する本考案は、自転車のチェーンを覆うチェーンカバーであって、
カバー本体と、保護板と、を備え、
前記カバー本体は、前記チェーンと対向して設けられるカバー本体主部を有し、
前記カバー本体主部は、貫通孔である窓部を有し、
前記保護板は、透明又は半透明に構成されている。
【０００９】
本考案によれば、窓部を閉塞する透明又は半透明の保護板により、窓部による外観の軽い印象を維持しつつ、窓部を介したチェーンの巻き込み等の事故を防止することが可能となる。
【００１０】
本考案の好ましい形態では、前記保護板は、前記窓部を閉塞して設けられる。
【００１１】
このような構成とすることで、窓部を介して指等を挿通させる余地がなくなり、より安全性が向上する。
【００１２】
本考案の好ましい形態では、前記保護板は、前記カバー本体主部の裏面側に設けられている。
【００１３】
このような構成とすることで、自転車に取付けた際、保護板の周縁が外部から視認できない状態となり、本チェーンカバーを、よりスッキリした外観とすることができる。
【００１４】
本考案の好ましい形態では、前記窓部の外形状は、前記カバー本体主部の外形状に沿って形成されている。
【００１５】
このような構成とすることで、本チェーンカバーの外観を、統一感のある、より美観に優れた外観とすることができる。
【００１６】
本考案の好ましい形態では、前記カバー本体主部は、その表面側に装飾部を有し、前記装飾部は、前記窓部の周縁に沿って設けられている。
【００１７】
このような構成とすることで、本チェーンカバーの美観を、より向上させることができる。
【００１８】
本考案の好ましい形態では、前記窓部の周縁に配置された突起部を有し、前記保護板は、前記突起部が貫入する貫入孔を有している。
【００１９】
このような構成とすることで、接着剤等を要せずとも、簡易な構成で、保護板を強固にカバー本体主部に取付けることができる。
【００２０】
本考案の好ましい形態では、前記保護板は、アクリル素材により形成されている。
【００２１】
このような構成とすることで、本チェーンカバーを、より軽量とし、安価に製造することができる。
【考案の効果】
【００２２】
本考案によれば、外観を軽い印象としつつ、安全性を担保することが可能なチェーンカバーを提供することができる。
【図面の簡単な説明】
【００２３】
【図１】本考案の実施形態に係るチェーンカバーの概略斜視図である。
【図２】本考案の実施形態に係るチェーンカバーを示す図であって、（ａ）裏面図、（ｂ）ＰＰ´線端面図、（ｃ）ＱＱ´線端面図である。
【図３】本考案の実施形態に係るチェーンカバーの使用状態を示す正面図である。
【考案を実施するための形態】
【００２４】
以下、図面を用いて、本考案の実施形態に係るチェーンカバーについて説明する。
なお、以下に示す実施形態は本考案の一例であり、本考案を以下の実施形態に限定するものではない。また、これらの図において、符号１は、本実施形態に係るチェーンカバーを示す。
【００２５】
図１に示すように、本実施形態に係るチェーンカバー１は、カバー本体Ａと、保護板Ｂと、を備えている。
【００２６】
カバー本体Ａは、チェーン（図示せず）と対向して設けられる、略平板状のカバー本体主部Ａ１と、カバー本体主部Ａ１の周縁から、自転車Ｘ（図３参照）側に向かって略垂直に延設されたフランジ部Ａ２と、を有している。
【００２７】
カバー本体主部Ａ１は、主にチェーンリング（図示せず）や、チェーンリングからスプロケット（図示せず）に延びるチェーンを覆う第一構成体Ｓ１と、第一構成体Ｓ１に連結され、主にハブ軸Ｘ１（図３参照）やスプロケット（図示せず）を覆う第二構成体Ｓ２と、により構成されている。
また、第一構成体Ｓ１と第二構成体Ｓ２との境界部分には、ハブ軸Ｘ１が挿通されるハブ軸挿通孔ｈが設けられている。
【００２８】
カバー本体主部Ａ１における第一構成体Ｓ１には、貫通孔である窓部Ａ１１と、窓部Ａ１１の周縁に沿って配置された装飾部Ａ１２と、窓部Ａ１１の周縁に配置された突起部Ａ１３（図２参照）と、自転車ＸのクランクＸ２（図３参照）が挿通されるクランク挿通孔Ａ１４と、カバー本体ＡをフレームエンドＸ３（図３参照）に取付けるための取付けネジｓ（図３参照）が貫入されるネジ用孔Ａ１５と、が設けられている。
【００２９】
窓部Ａ１１の外形状は、カバー本体主部Ａ１の外形状に沿って形成されている。
詳述すれば、窓部Ａ１１は、リア側端部が、第二構成体Ｓ２の端部のように丸みを帯びた形状となされ、そこからフロント側に向かうに伴い、ハの字状に広がるような形状となされている。また、フロント側端部が、クランク挿通孔Ａ１４の形状に合わせて、リア側端部と同方向に湾曲した形状となされている。
【００３０】
装飾部Ａ１２は、カバー本体主部Ａ１の表面側であって、窓部Ａ１１のハの字状に広がる外形に沿って設けられている。
なお、本実施形態において装飾部Ａ１２は、光沢を有した複数のビーズである。また、カバー本体主部Ａ１の表面側において、装飾部Ａ１２として、クランク挿通孔Ａ１４の周縁や、窓部Ａ１１のフロント側端部やリア側端部の周縁等に任意のイラストを施す構成としても良い。
【００３１】
保護板Ｂは、アクリル素材により透明に構成され、カバー本体主部Ａ１の裏面側に、窓部Ａ１１を閉塞して設けられている。
また、保護板Ｂは、突起部Ａ１３が貫入する貫入孔Ｂ１（図２参照）を有している。
【００３２】
なお、保護板Ｂは、必ずしも窓部Ａ１１を閉塞して設けられる必要はなく、例えば、保護板Ｂを、星形やハート型等の形状にしてカバー本体主部Ａ１に設けられることで、部分的に隙間ができるような構成としても良い。
また、保護板Ｂは、必ずしも全体を透明とする必要はなく、例えば、半透明となるように、表面を任意の色に着色する、表面に任意のデザインを施し、部分的に透明とする、といった構成としても良い。
【００３３】
図２（ａ）及び（ｂ）に示すように、第二構成体Ｓ２側のフランジ部Ａ２には、連結板Ａ２１が、フランジ部Ａ２の内周面に沿って設けられている。
【００３４】
連結板Ａ２１は、裏面視で第二構成体Ｓ２の外形状に沿った略Ｕ字状、且つ断面視で略Ｌ字状に形成されている。
これにより、使用者が、自転車Ｘに装着されたチェーンカバー１を取外す際等に、第二構成体Ｓ２側のフランジ部Ａ２を掴む等しても、使用者の手が容易にチェーンに接触してしまう事態を抑制することができる。
【００３５】
また、連結板Ａ２１は、その両端部が第一構成体Ｓ１に向かって突出することで、第一構成体Ｓ１側のフランジ部Ａ２の内周面に当接可能に構成されている。
【００３６】
第一構成体Ｓ１は、そのフランジ部Ａ２及びフランジ部Ａ２の内周面に当接された連結板Ａ２１の両端部を、一対の連結ネジｔで連結することで、第二構成体Ｓ２と連結されている。
なお、第一構成体Ｓ１側のフランジ部Ａ２及び連結板Ａ２１には、一対の連結ネジｔが貫入される孔が設けられているが、その図示は省略する。
【００３７】
この他、第一構成体Ｓ１の裏面側には、略Ｌ字状の支持部材ｌが設けられており、支持部材ｌの一端は第二構成体Ｓ２の裏面に突出している。
このようにすることで、第二構成体Ｓ２が、一対の連結ネジｔを軸として回動することを抑制し、第一構成体Ｓ１と第二構成体Ｓ２との安定した連結状態が保持される。
なお、支持部材ｌには、ネジ用孔Ａ１５と連通する雌ネジ部ｌ１が設けられている。
【００３８】
図２（ａ）及び（ｃ）に示すように、突起部Ａ１３は、窓部Ａ１１の周縁に４つ設けられており、窓部Ａ１１の内側に向かって延びる舌片を、その端部が外側に向くように略Ｌ字状に屈曲させることで形成されている。
また、貫入孔Ｂ１は、突起部Ａ１３の数及び位置に対応して設けられた小孔である。
【００３９】
突起部Ａ１３及び貫入孔Ｂ１をこのように構成することで、保護板Ｂは、突起部Ａ１３とカバー本体主部Ａ１の裏面とに挟持される態様で、カバー本体主部Ａ１に固定される。
【００４０】
図３は、従来の自転車Ｘに、チェーンカバー１を取付けた際の正面図である。
使用者は、チェーンカバー１を自転車Ｘに取付ける際、従来のチェーンカバーと同様に、クランク挿通孔Ａ１４にクランクＸ２を挿通させる。
また、使用者は、第一構成体Ｓ１と第二構成体Ｓ２と分解し、これらを、ハブ軸Ｘ１が設けられたフレームエンドＸ３の内側に配置した後、連結ネジｔにより連結する。これにより、ハブ軸挿通孔ｈにハブ軸Ｘ１が挿通される。
また、使用者は、取付けネジｓを、フレームエンドＸ３に設けられたネジ穴（図示せず）及びネジ用孔Ａ１５を介して、雌ネジ部ｌ１に螺合させる。
なお、チェーンカバー１は上記のように取付けられることから、自転車Ｘがチェーンステーを有する場合、予めチェーンステーを切除しておく。
【００４１】
本実施形態によれば、窓部Ａ１１を閉塞する透明の保護板Ｂにより、窓部Ａ１１による外観の軽い印象を維持しつつ、窓部Ａ１１を介したチェーンの巻き込み等の事故を防止することが可能となる。
【００４２】
また、保護板Ｂが、窓部Ａ１１を閉塞して設けられていることで、窓部Ａ１１を介して指等を挿通させる余地がなくなり、より安全性が向上する。
【００４３】
また、保護板Ｂがカバー本体主部Ａ１の裏面側に設けられていることで、自転車  に取付けた際、保護板Ｂの周縁が外部から視認できない状態となり、チェーンカバー１を、よりスッキリした外観とすることができる。
【００４４】
また、窓部Ａ１１の外形状がカバー本体主部Ａ１の外形状に沿って形成されていることで、チェーンカバー１の外観を、統一感のある、より美観に優れた外観とすることができる。
【００４５】
また、カバー本体主部Ａ１が、その表面側に装飾部Ａ１２を有し、装飾部Ａ１２が窓部Ａ１１の周縁に沿って設けられていることで、チェーンカバー１の美観を、より向上させることができる。
【００４６】
また、カバー本体主部Ａ１の突起部Ａ１３と、保護板Ｂの貫入孔Ｂ１と、によりが接着剤等を要せずとも、簡易な構成で、保護板Ｂを強固にカバー本体主部Ａ１に取付けることができる。
【００４７】
また、保護板Ｂアクリル素材により形成されていることで、チェーンカバー１を、より軽量とし、安価に製造することができる。
【００４８】
なお、上述の実施形態において示した各構成部材の諸形状や寸法等は一例であって、設計要求等に基づき種々変更可能である。
【符号の説明】
【００４９】
１      チェーンカバー
Ａ      カバー本体
Ａ１    カバー本体主部
Ａ１１  窓部
Ａ１２  装飾部
Ａ１３  突起部
Ａ１４  クランク挿通孔
Ａ１５  ネジ用孔
Ｓ１    第一構成体
Ｓ２    第二構成体
Ａ２    フランジ部
Ａ２１  連結板
ｈ      ハブ軸挿通孔
Ｂ      保護板
Ｂ１    貫入孔
Ｘ      自転車
Ｘ１    ハブ軸
Ｘ２    クランク
Ｘ３    フレームエンド
【図１】
0003231794.tif 000003
【図２】
0003231794.tif 000004
【図３】
0003231794.tif 000005
【手続補正書】
【提出日】令和3年3月1日(2021.3.1)
【手続補正１】
【補正対象書類名】実用新案登録請求の範囲
【補正対象項目名】請求項１
【補正方法】変更
【補正の内容】
【請求項１】
自転車のチェーンを覆うチェーンカバーであって、
カバー本体と、保護板と、を備え、
前記カバー本体は、前記チェーンと対向して設けられるカバー本体主部を有し、
前記カバー本体主部は、貫通孔である窓部を有し、
前記保護板は、透明又は半透明に構成され、前記窓部を全面又は部分的に覆って設けられているチェーンカバー。